(57)【要約】【課題】眼鏡、特にサングラス等は外した時の保持や収容に困るものである。【解決手段】限られた狭隘なスペースに収納される保持具としての跳ね返りクリップの跳ね返り板１にピン状突起２を設ける。又、跳ね返り機能を確保する為に根本の間隙を固定する枕材４を設ける。【選択図】　　　　　図１
2004138757.tif 000002
【特許請求の範囲】
【請求項１】
跳ね返り板（１）の尖端付近にピン状突起（２）を設けた眼鏡保持用跳ね返りクリップ。
【請求項２】
跳ね返り板（１）と台板（３）の根本部付近に跳ね返り板（１）及び台板（３）の間隙を保持し固定する為の枕材（４）を設けた請求項１の眼鏡保持用クリップ。
【請求項３】
ピン状突起（２）を持つ跳ね返り板（１）を設けた眼鏡つる。
【請求項４】
跳ね返り板（１）に設けたピン状突起（２）と枕材（４）を設けた眼鏡つる。
【発明の詳細な説明】
【０００１】
【発明の属する技術分野】
本発明はサングラス等頻繁に着脱する眼鏡の脱時での収納保持を容易かつ完全にするための保持具及び保持機能付き眼鏡つるにかかるものでる。
【０００２】
【従来の技術】
眼鏡の脱時の保持方法として眼鏡ケースに入れたり胸のポケットに入れたりする他、実開昭６１−８６１８その他にあるように色々なクリップが持つ挟み圧力を利用する挟み込み構造によるものがある。特許文献　実開昭６１−８６１８
【０００３】
【発明が解決しようとする課題】
しかし、それらクリップが挟み圧力を利用する挟み込み構造である限り、いかに挟み圧力を高めても挟まれる中身の滑り落ちる可能性はなくならない。まして、眼鏡つる上という狭隘な環境の制約の中では挟み圧力を高めるには限界がある。一般に胸のポケットに収納するペンなど筆記用具に比べると、重量があり、嵩張り、表面が滑りやすい材質で出来ており、特に繊細なレンズを持つ眼鏡は筆記用具等に於けるとは比較にならない脱落の危険性に対する配慮が必要なので，その保持具は眼鏡が滑り出す懸念が全くない程の保持力がなければ実用には供せられない。本発明が解決しようとする課題は、収納者の意思で何らかの手を施さない限り滑り出す事のない収納保持用特殊クリップと同種機能付き眼鏡つるを提供する点にある。
【０００４】
【課題を解決するための手段】
眼鏡のつると眼鏡着用者のこめかみとの間隙は一般に狭隘なので，そこに収まるクリップは極小さく扁平でなくてはならないが、ヘヤーピンの一種である跳ね返り式クリップは口を閉じたときは扁平であるので、その極小サイズのものを眼鏡のつるの内側に取り付けて挟みクリップに使えば，眼鏡のつると着用者のこめかみの間のような狭隘な所に潜伏させるのに適し，一方そのクリップの口が開いたときは大きく開くので、挟まれるポケットの外布の出入りが容易であるという両方の利点がある。それに加えて把握力を高めれば課題解決に良いと考えた。
【０００５】
そこで、跳ね返り式ヘヤーピンの極小サイズ物を変形改良し、眼鏡のつる（５）の付け根内側に跳ね返りクリップの台板（３）を取り付け，眼鏡を収納する時は眼鏡のつる（５）をポケットの外布（６）の外に垂らし、クリップの跳ね返り板（１）を指で引っ張って跳ね返らせ、台板（３）との間に出来る大きく開いた口にポケットの外布（６）を挿入し，その上で跳ね返り板（１）を指で抑えて戻し、挿入されたポケットの外布（６）を挟み込ませる眼鏡の飛び出し防止策を図った。しかし、それが挟み圧力の利用構造である限り実用にはなり得ない。
【０００６】
そこで、跳ね返り板（１）の尖端付近に跳ね返り板（１）に垂直状に一本又は二本のピン状突起（２）を設けた。
【０００７】
そして、眼鏡をポケットに収納するに当たり、眼鏡つる（５）に取り付け手段を介して取り付けられた跳ね返りクリップの跳ね返り板（１）を指で引っ張って口を引き開け、ポケットの外布（６）を挿入した後、クリップの跳ね返り板（１）の先端部分を指で軽く押すと、それだけで跳ね返り板（１）は自動的に口を閉じる方向に跳ね返り、その圧力で、或いはその上を押さえる指の圧力で、上記のピン状突起（２）が、挿入されたポケットの外布（６）の裏側に、刺し込み式ネクタイピンのように突き刺さって挟み込み、眼鏡の収納と把握の確実性の完成を見た。
【０００８】
ヘヤーピン用跳ね返りクリップはその中程の腹の部分で折り曲げる力を加えることによって跳ね返り板（１）を跳ね返らせたり又は戻したりする構造であるので，眼鏡のつる（５）のように平らな棒状に取り付けた場合は折り曲げが出来ない。そこで、クリップを開口させる為には跳ね返り板（１）を指で引っ張って跳ね返らせば事足りるが，閉口させる為には二つの方法を講じる必要がある。
【０００９】
其の一つは、図５が示すように跳ね返り板（１）の尖端を指で押さえる。するとその尖端から少し離れた位置にあるピン状突起（２）の先が台板（３）にあたるので，其処を支点として梃子の応用力が働き，跳ね返り板（１）の腹部が押し上げられる力となって跳ね返り板（１）を跳ね返らせ、クリップの口を閉じる。この時の指の押さえる力はピン状突起（２）を押さえるので，其の力が跳ね返りのバネの力に加えて、中に挟まれているポケットの外布（６）を貫通する力ともなる。その事が物理的にも又操作者の心理的にも把握の確実性を強める事になる。
【００１０】
別の一つは、図６が示すように枕材（４）を設けると跳ね返り板（１）と台板（３）又は眼鏡つる（５）との間隙が保たれ固定されるので，跳ね返り板（１）を指で軽く押さえるだけで，跳ね返りの限界に達すると自動的に腹部が押し上げられる方向に跳ね返って，其のバネの力でピン状突起（２）が中に挟まれているポケットの外布（６）に刺し込んで把握の確実性をもたらす。
【００１１】
【発明の実施の形態】
図１の実施例は以下の事を示している。即ち、眼鏡がポケットに収納され、眼鏡つる（５）がポケットの外布（６）の外に垂れ下がり、眼鏡つる（５）の根本の裏側に取り付け手段を介して貼り付けられた眼鏡保持用特殊跳ね返りクリップの台板（３）と跳ね返り板（１）の開口の間に、ポケットの外布（６）が挿入されている。この後は、指で跳ね返り板（１）の尖端付近を軽く押すと跳ね返り板（１）は枕材〈４〉を支点としたバネの力で自動的に反対の方向に跳ね返り、図３の示すように閉口し、そのバネの力でピン状突起（２）がポケットの外布（６）の裏側に突き刺さって、眼鏡は飛び出されない状態になる。或いは図５に示すように枕材（４）がない場合は０００９の状態になる。
【００１２】
又、反対に眼鏡を取り出す時は、眼鏡つる（５）を引っ張るだけで、挟まれているポケットの外布（６）の抵抗で、跳ね返り板（１）が押されて自動的に跳ね返り、眼鏡保持用特殊クリップは開口し図１の状態に戻る。その時のピン状突起（２）はポケットの外布（６）から遠く離れており、その角度はポケットの外布（６）に対して鈍角であって引っかかる角度でなく、よって眼鏡は容易に取り出せる。又その後、眼鏡を着用する時は、指で跳ね返り板（１）の尖端付近を軽く抑えると、バネの力で図３のように閉口するので扁平になってこめかみと眼鏡つるの間に納まり、跳ね返り板（１）がこめかみを圧迫するなどの支障を来たさない。
【００１３】
図５は請求項３にあるように請求項１を眼鏡つるに設けたものである。図６は請求項４にあるように請求項２を眼鏡つるに設けたものである。
【００１４】
【発明の効果】
眼鏡を外した場合、その置き場所や収納方法に困るものであるが、この発明のピン状突起（２）がポケットやシャツなどの布地に、ネクタイピンのように刺し込むことで，収納された眼鏡が飛び出すことなく完全に保持出来て安心であり、また枕材（４）を支点とする跳ね返り板（１）の閉口によって、眼鏡の着用時にはその狭隘なスペース内にも拘わらず使用者のこめかみを圧迫することがない。
【図面の簡単な説明】
【図１】実施例の斜視図である。
【図２】開口時クリップの斜視図である。
【図３】閉口時クリップの横面図である。
【図４】クリップの平面図である。
【図５】請求項３の実施図である。
【図６】請求項４の実施図である。
【符号の説明】
１　跳ね返り板
２　ピン状突起
３　台板
４　枕材
５　眼鏡つる
６　ポケットの外布
【図１】
2004138757.tif 000003
【図２】
2004138757.tif 000004
【図３】
2004138757.tif 000005
【図４】
2004138757.tif 000006
【図５】
2004138757.tif 000007
【図６】
2004138757.tif 000008
【手続補正書】
【提出日】平成14年12月6日(2002.12.6)
【手続補正１】
【補正対象書類名】明細書
【補正対象項目名】全文
【補正方法】変更
【補正の内容】
【特許請求の範囲】
【請求項１】眼鏡のつるに固着される台板と、この台板と同方向へ一体に折曲げられたばね性の跳ね返り板とを備え、この跳ね返り板の先端付近にポケット係止用ピン状突起を設けた眼鏡保持用クリップ。
【請求項２】上記跳ね返り板と上記台板の折曲部付近に上記跳ね返り板と上記台板の間隙を保持し固定する為の枕材を設けた請求項１記載の眼鏡保持用クリップ。
【請求項３】眼鏡のつるに、ピン状突起を先端付近に持つばね性跳ね返り板を一体に設けた眼鏡。
【請求項４】眼鏡のつると跳ね返り板との間に枕材を設けた請求項３記載の眼鏡。
【発明の詳細な説明】
【０００１】
【発明の属する技術分野】
本発明はサングラス等頻繁に着脱する眼鏡の脱時での収納保持を容易かつ完全にするための保持具及び保持機能付き眼鏡つるに係るものである。
【０００２】
【従来の技術】
眼鏡の脱時の保持方法として眼鏡ケースに入れたり胸のポケットに入れたりする他、実開昭６１−８６１８その他にあるように色々なクリップが持つ挟み圧力を利用する挟み込み構造によるものがある。特許文献　実開昭６１−８６１８
【０００３】
【発明が解決しようとする課題】
しかし、それらクリップが挟み圧力を利用する挟み込み構造である限り、いかに挟み圧力を高めても挟まれる中身の滑り落ちる可能性はなくならない。まして、眼鏡つる上という狭隘な環境の制約の中では挟み圧力を高めるには限界がある。一般に胸のポケットに収納するペンなど筆記用具に比べると、重量があり、嵩張り、表面が滑りやすい材質で出来ており、特に繊細なレンズを持つ眼鏡は筆記用具等に於けるとは比較にならない脱落の危険性に対する配慮が必要なので、その保持具は眼鏡が滑り出す懸念が全くない程の保持力がなければ実用には供せられない。本発明が解決しようとする課題は、収納者の意思で何らかの手を施さない限り滑り出す事のない収納保持用特殊クリップと同種機能付き眼鏡つるを提供する点にある。
【０００４】
【発明の背景】
眼鏡のつると眼鏡着用者のこめかみとの間隙は一般に狭隘なので、そこに収まるクリップは極小さく扁平でなくてはならないが、ヘヤーピンの一種である跳ね返り式クリップは口を閉じたときは扁平であるので、その極小サイズのものを眼鏡のつるの内側に取り付けて挟みクリップに使えば、眼鏡のつると着用者のこめかみの間のような狭隘な所に潜伏させるのに適し、一方そのクリップの口が開いたときは大きく開くので、挟まれるポケットの外布の出入りが容易であるという両方の利点がある。それに加えて把握力を高めれば課題解決に良いと考えた。
【０００５】
【課題を解決するための手段】
この発明は、眼鏡のつるに、台板を介して、または台板を介さずに直接、ばね性の跳ね返り板を固着するとともに、この跳ね返り板の先端付近にポケットへの係止用ピン状突起を設けたことを特徴とするものであり、上記ピン状突起の存在によりポケットなどから眼鏡が脱落するのを防ぐとともに、ばね性跳ね返り板のスナップ動作によって係脱作用を向上させたものである。
【０００６】
【発明の実施の形態】
実施の形態１．
以下、この発明の実施の形態１を図について説明する。
図１は側面図、図２はクリップの斜視図、図３はクリップの側面図、図４はクリップの平面図である。
これらの図において、（１）はクリップのばね性跳ね返り板、（２）はこの跳ね返り板（１）の先端付近に設けられたピン状突起、（３）は跳ね返り板（１）と一体の台板、（４）はこの台板（３）と跳ね返り板（１）との間に設けた枕材、（５）は台板（３）が固着される眼鏡のつる、（６）はポケットの外布である。なお、上記枕材（４）は取り外すこともできる。
【０００７】
即ち、跳ね返り式ヘヤーピンの極小サイズ物を変形改良し、眼鏡のつる（５）の付け根内側に跳ね返りクリップの台板（３）を取り付け、眼鏡を収納する時は眼鏡のつる（５）をポケットの外布（６）の外に垂らし、クリップの跳ね返り板（１）を指で引っ張って跳ね返らせ、台板（３）との間に出来る大きく開いた口にポケットの外布（６）を挿入し、その上で跳ね返り板（１）を指で押さえて戻し、挿入されたポケットの外布（６）を挟み込ませるようにして眼鏡の飛び出し防止策を図ったものである。
【０００８】
眼鏡をポケットに収納するに当たり、眼鏡つる（５）に取り付け手段を介して取り付けられた跳ね返りクリップの跳ね返り板（１）を指で引っ張って口を引き開け、ポケットの外布（６）を挿入した後、クリップの跳ね返り板（１）の先端部分を指で軽く押すと、それだけで跳ね返り板（１）は自動的に口を閉じる方向に跳ね返り、その圧力で、或いはその上を押さえる指の圧力で、上記のピン状突起（２）が、挿入されたポケットの外布（６）の裏側に、刺し込み式ネクタイピンのように突き刺さって挟み込み、眼鏡の収納とともに確実に把握する。
【０００９】
なお、ヘヤーピン用跳ね返りクリップはその中程の腹の部分で折り曲げる力を加えることによって跳ね返り板（１）を跳ね返らせたり又は戻したりする構造であるので、眼鏡のつる（５）のように平らな棒状に取り付けた場合は折り曲げが出来ない。そこで、クリップを開口させる為には跳ね返り板（１）を指で引っ張って跳ね返らせば事足りるが、閉口させる為には次の二つの方法を講じている。
【００１０】
実施の形態２．
図５は実施の形態２を示すもので、図１のものから台板（３）を省き、跳ね返り板（１）を直接眼鏡のつる（５）に取り付けたものを示している。また図６は図５のものに枕材（４）を介装した例を示したものである。
図５が示す例の場合、跳ね返り板（１）の先端を指で押さえると、その先端から少し離れた位置にあるピン状突起（２）の先が台板（３）にあたるので、其処を支点として梃子の応用力が働き、跳ね返り板（１）の腹部が押し上げられる力となって跳ね返り板（１）を跳ね返らせ、クリップの口を閉じる。この時の指の押さえる力はピン状突起（２）を押さえるので、其の力が跳ね返りのバネの力に加えて、中に挟まれているポケットの外布（６）を貫通する力ともなる。
加えて、中に挟まれているポケットの外布（６）を貫通する物理的な力となると共に、心理的にも一般に服飾のホックの一種であるリングスナップやアメリカンホックがはめ込まれた瞬間に発する微かな音と手ごたえの振動によって操作者が持つ嵌め込みの成就感に似た効果をもたらし、物心両面で把握の確実性を強める事になる。
【００１１】
また、図６が示すように枕材（４）を設けると、跳ね返り板（１）と台板（３）又は眼鏡つる（５）との間隙が保たれ固定されるので、跳ね返り板（１）を指で軽く押さえるだけで、跳ね返りの限界に達すると自動的に腹部が押し上げられる方向に跳ね返って、其のバネの力でピン状突起（２）が中に挟まれているポケットの外布（６）に刺し込んで把握の確実性をもたらす。
【００１２】
即ち、眼鏡がポケットに収納され、眼鏡つる（５）がポケットの外布（６）の外に垂れ下がり、眼鏡つる（５）の根本の裏側に取り付け手段を介して貼り付けられた眼鏡保持用特殊跳ね返りクリップの台板（３）と跳ね返り板（１）の開口の間に、ポケットの外布（６）が挿入され、この後は、指で跳ね返り板（１）の先端付近を軽く押すと跳ね返り板（１）は枕材（４）を支点としたバネの力で自動的に反対の方向に跳ね返り、図３の示すように閉口し、そのバネの力でピン状突起（２）がポケットの外布（６）の裏側に突き刺さって、眼鏡は飛び出されない状態になる。
【００１３】
又、反対に眼鏡を取り出す時は、眼鏡つる（５）を引っ張るだけで、挟まれているポケットの外布（６）の抵抗で、跳ね返り板（１）が押されて自動的に跳ね返り、眼鏡保持用特殊クリップは開口し図１の状態に戻る。その時のピン状突起（２）はポケットの外布（６）から遠く離れており、その角度はポケットの外布（６）に対して鈍角であって、あたかもポケットの外布（６）のスムーズな脱出を促すかのような格好で少なくとも引っかかる障害となる角度でなく、よって眼鏡は容易に取り出せる。又その後、眼鏡を着用する時は、指で跳ね返り板（１）の先端付近を軽く押さえると、バネの力で図３のように閉口するので、扁平になってこめかみと眼鏡のつるの間に納まり、跳ね返り板（１）がこめかみを圧迫するなどの支障を来たさない。
【００１４】
【発明の効果】
眼鏡を外した場合、その置き場所や収納方法に困るものであったが、この発明では、跳ね返り板に設けたピン状突起が、ポケットやシャツなどの布地に、ネクタイピンのように刺し込むことで、収納された眼鏡が飛び出すことなく完全に保持出来て安心である。
また、枕材を支点とする跳ね返り板の閉口によって、眼鏡の着用時にはその狭隘なスペース内にも拘わらず使用者のこめかみを圧迫することがないという効果を奏する。
【図面の簡単な説明】
【図１】この発明の実施の形態１を示すもので、眼鏡をポケットにさし込む状態の側面図である。
【図２】この発明の実施の形態１のクリップの開口時を示す斜視図である。
【図３】この発明の実施の形態１のクリップの閉口時を示す側面図である。
【図４】この発明の実施の形態１のクリップの平面図である。
【図５】この発明の実施の形態２のクリップの側面図である。
【図６】図５に対応する作用説明図である。
【符号の説明】
１　跳ね返り板、２　ピン状突起、３　台板、４　枕材、５　眼鏡つる、６　ポケットの外布。


【手続補正２】
【補正対象書類名】図面
【補正対象項目名】図１
【補正方法】変更
【補正の内容】
【図１】
2004138757.tif 000009